(57)【要約】【課題】肩掛けベルトが使用中にランドセルの重量により肩からずれず、ランドセルの背当て部が使用者の背中に密着して、ランドセルの重心が使用者の背中から離れず、ランドセルが重く感じることがないランドセルの肩ベルトを提供する。【解決手段】ランドセルＲの背当て部Ｒｐの上部に取り付けられるものとし、板状体に断面形状を縦長とした挿通空間１ａを設けた取付体１と、上辺部両脇を平坦にして一対の屈曲部Ｃ１  を有した取付部２ａとし、下辺部を平坦にして一対の屈曲部Ｃ２  を有した挿通部２ｂとした接続環２と、前記接続環２の取付部２ａへの嵌込み部３ａを設けた弾性体３とからなり、前記取付体１の挿通空間１ａに前記接続環２の挿通部２ｂを挿通し、さらに前記接続環２の取付部２ａに前記弾性体３の嵌込み部３ａを嵌め込み、この弾性体３に肩ベルト４の上端部を固着したものとしている。【選択図】        図１
2004358019.tif 000002
【特許請求の範囲】
【請求項１】
ランドセル（Ｒ）の背当て部（Ｒｐ）の上部に取り付けられるものとし、板状体に断面形状を縦長とした挿通空間（１ａ）を設けた取付体（１）と、上辺部両脇を平坦にして一対の屈曲部（Ｃ１  ）を有した取付部（２ａ）とし、下辺部を平坦にして一対の屈曲部（Ｃ２  ）を有した挿通部（２ｂ）とした接続環（２）と、前記接続環（２）の取付部（２ａ）への嵌込み部（３ａ）を設けた弾性体（３）とからなり、前記取付体（１）の挿通空間（１ａ）に前記接続環（２）の挿通部（２ｂ）を挿通し、さらに前記接続環（２）の取付部（２ａ）に前記弾性体（３）の嵌込み部（３ａ）を嵌め込み、この弾性体（３）に肩ベルト（４）の上端部を固着したことを特徴とするランドセルの肩ベルト取付具。
【請求項２】
前記取付体（１）の略中央上部に挿通空間（１ａ）に連通する開口部（１ｂ）を設け、この開口部（１ｂ）から挿通空間（１ａ）に略Ω形状の吊り環（５）の脚部（５ａ）を挿入して、吊り環（５）を取り付けたことを特徴とする請求項１記載のランドセルの肩ベルト取付具。
【請求項３】
前記接続環（２）の取付部（２ａ）の屈曲部（Ｃ１  ）を、上方または下方に形成したことを特徴とする請求項１記載のランドセルの肩ベルト取付具。
【請求項４】
前記接続環（２）の挿通部（２ｂ）の屈曲部（Ｃ２  ）を、下方に形成したことを特徴とする請求項１記載のランドセルの肩ベルト取付具。
【発明の詳細な説明】
【０００１】
【発明の属する技術分野】
この発明は、ランドセルの肩ベルト取付具に関するものである。
【０００２】
【従来の技術】
従来のランドセルの肩ベルト取付具としては、例えば図９に示したように、二つ折りにした板体１１の折曲部に一筋の挿通孔１１ａを設けると共に、その折曲部の略中央部に挿通孔１１ａに連通する開口部１１ｂを設け、この開口部１１ｂに略Ω形状の吊り環１２の脚部１２ａを回動自在として取付け、さらに挿通孔１１ａの両端に肩ベルト１３の取付け用の略Ｗ形状とした接続環１４の内方折曲端１４ａをそれぞれ回動自在として取り付け、また板体１１にはランドセルＲの背当て部Ｒｐに鋲止めするための止着孔１５が設けられたものが存在する（特許文献１参照）。
【０００３】
そして、このように構成したランドセルの肩ベルト取付具は、必要に応じ板体１１を合成皮革等で被覆し、ランドセルＲの背当て部Ｒｐに鋲止めし、接続環１４に肩ベルト１３を取り付けるものとしている。
【０００４】
【特許文献１】
実公平３−４７５３２号公報（第２頁、第１図）
【０００５】
【発明が解決しようとする課題】
しかしながら、上記従来の肩ベルト取付具を使用してランドセルＲに肩ベルト１３を取り付けた場合、図１０に示したように、板体１１の挿通孔１１ａに取り付けられた接続環１４が使用者の背中方向に回動し、接続環１４に取り付けた肩ベルト１３が、使用中にランドセルの重量により次第に肩からずれて、使用者の背中から離れて後方へ傾いてしまう。そのため、ランドセルの重心が使用者の背中から離れ、ランドセルが背負い難くなると共に重く感じるという課題を有していた。
【０００６】
さらに、上記従来の肩ベルト取付具を使用して肩ベルト１３を取り付けたランドセルＲでは、ランドセルＲが使用者の背中から離れて後方へ傾いてしまうため、ランドセルＲの背当て部Ｒｐの下端部が使用者の背中に当たって、使用者が痛みを感じたりし、使用感が悪いという課題を有していた。
【０００７】
そこで、この発明は、上記従来の課題を解決するものであり、肩ベルトが使用中にランドセルの重量により肩からずれず、ランドセルの背当て部が使用者の背中に密着して、ランドセルの重心が使用者の背中から離れず、ランドセルが重く感じることがないランドセルの肩ベルト取付具を提供することを目的としてなされたものである。
【０００８】
【課題を解決するための手段】
この発明のランドセルの肩ベルト取付具は、ランドセルＲの背当て部Ｒｐの上部に設けられるものとし、板状体に断面形状を縦長とした挿通空間１ａを設けた取付体１と、上辺部両脇を平坦にして一対の屈曲部Ｃ１  を有した取付部２ａとし、下辺部を平坦にして一対の屈曲部Ｃ２  を有した挿通部２ｂとした接続環２と、前記接続環２の取付部２ａへの嵌込み部３ａを設けた弾性体３とからなり、前記取付体１の挿通空間１ａに前記接続環２の挿通部２ｂを挿通し、さらに前記接続環２の取付部２ａに前記弾性体３の嵌込み部３ａを嵌め込み、この弾性体３に肩ベルト４の上端部を固着したものとしている。
【０００９】
さらに、この発明のランドセルの肩ベルト取付具は、前記取付体１の略中央上部に挿通空間１ａに連通する開口部１ｂを設け、この開口部１ｂから挿通空間１ａに略Ω形状の吊り環５の脚部５ａを挿入して、吊り環５を取り付けたものとしている。
【００１０】
また、この発明のランドセルの肩ベルト取付具は、前記接続環２の取付部２ａの屈曲部Ｃ１  を、上方または下方に形成したものとすることができ、前記接続環２の挿通部２ｂの屈曲部Ｃ２  を、下方に形成したものとすることができる。
【００１１】
【発明の実施の形態】
以下、この発明のランドセルの肩ベルト取付具の実施の形態を、図面に基づいて詳細に説明する。
【００１２】
図１〜４はこの発明のランドセルの肩ベルト取付具の一実施形態を示しており、図５〜８はこの発明のランドセルの肩ベルト取付具の他の実施形態を示している。いずれの実施形態においても、この発明のランドセルの肩ベルト取付具は、ランドセルＲの背当て部Ｒｐの上部に取り付けられるものとしており、板状体に断面形状を縦長とした挿通空間１ａを設けた取付体１と、上辺部両脇を平坦にして一対の屈曲部Ｃ１  を有した取付部２ａとし、下辺部を平坦にして一対の屈曲部Ｃ２  を有した挿通部２ｂとした接続環２と、前記接続環２の取付部２ａへの嵌込み部３ａを設けた弾性体３とからなるものとしている。
【００１３】
そして、この発明のランドセルの肩ベルト取付具は、前記取付体１の挿通空間１ａに前記接続環２の挿通部２ｂを挿通し、さらに前記接続環２の取付部２ａに前記弾性体３の嵌込み部３ａを嵌め込み、この弾性体３に肩ベルト４の上端部を固着したものとしている。また、肩ベルト４の下端部は、ランドセルＲの底部に設けた取付具（図示せず）に取り付けられている。なお、背当て部Ｒｐの上部とは、背当て部Ｒｐの最上端または最上端から少し下げた位置のことをいう。
【００１４】
この発明のランドセルの肩ベルト取付具は、このように構成することにより、前記接続環２が取付体１の挿通空間１ａで回動しないようにすると共に、肩ベルト４の上端が接続環２の上辺部で回動しないようにしている。
【００１５】
前記取付体１は、金属板や合成樹脂板等からなるものとしており、この取付体１の挿通空間１ａは、二つ折りにした板状体の折曲空間としたり、二枚重ねにした板状体の間に設けた通孔などとすることができる。さらに、前記取付体１の略中央上部には、挿通空間１ａに連通する開口部１ｂを設け、この開口部１ｂから挿通空間１ａに略Ω形状の吊り環５の脚部５ａを挿入して、吊り環５を取り付けたものとしている。また、取付体１には、ランドセルＲの背当て部Ｒｐに鋲止めするための止着孔６を設けたものとしている。
【００１６】
前記接続環２は、金属線材や合成樹脂線材等からなるものとしており、この接続環２の取付部２ａ、挿通部２ｂは、その部分の金属線材を延伸加工したり、その部分の合成樹脂線材を平坦に成形したりして、平坦な形状にしている。さらに、前記接続環２の取付部２ａの屈曲部Ｃ１  は、図１、２に示したように上方、または図５、６に示したように下方に角形状やアール形状として形成したものとすることができる。また、前記接続環２の挿通部２ｂの屈曲部Ｃ２  は、図１、２または図５、６に示したように下方に角形状やアール形状として形成したものとすることができる。
【００１７】
前記弾性体３は、金属板や合成樹脂板等からなるものとしており、この弾性体３の嵌込み部３ａは、前記接続環２の取付部２ａの屈曲部Ｃ１  を有した部分に沿う形状としており、この部分が丁度、嵌まり込むようにしている。なお、図１、２に示したように、前記接続環２の取付部２ａの屈曲部Ｃ１  を上方にアール形状として形成したものでは、このアール形状に沿うような屈曲形状を前記弾性体３に形成したものとして、この部分が丁度、嵌まり込むようにしている。
【００１８】
以上のように構成したこの発明のランドセルの肩ベルト取付具は、必要に応じ取付体１を合成皮革等で被覆（図示せず）し、ランドセルＲの背当て部Ｒｐの上部に鋲止めして取り付ければ、前記接続環２が取付体１の挿通空間１ａで回動しないと共に、肩ベルト４が接続環２の上辺部で回動しないので、肩ベルト４の接続環２との接続部近辺は、常にランドセルＲから上方に向いた状態となる。そのため、使用者がランドセルＲを背負った場合には、図４、８に示したように、ランドセルＲが肩ベルト４によって常に上方または斜め上方に引っ張られた状態となる。
【００１９】
したがって、このような状態で背負ったランドセルＲは、背当て部Ｒｐが使用者の背中に密着した状態に保たれることになる。
【００２０】
【発明の効果】
この発明のランドセルの肩ベルト取付具は、以上に述べたように構成されているので、肩ベルトが使用中にランドセルの重量により肩からずれず、ランドセルの背当て部が使用者の背中に密着して、ランドセルの重心が使用者の背中から離れず、ランドセルが重く感じることがないものとなる。
【図面の簡単な説明】
【図１】この発明のランドセルの肩ベルト取付具の一実施形態の使用状態を示す正面図である。
【図２】図１に示すこの発明のランドセルの肩ベルト取付具の分解斜視図である。
【図３】図１のＡ−Ａ線によるこの発明のランドセルの肩ベルト取付具の断面図である。
【図４】図１に示すこの発明のランドセルの肩ベルト取付具を使用したランドセルを背負った状態を示す側面図である。
【図５】この発明のランドセルの肩ベルト取付具の他の実施形態の使用状態を示す説明図である。
【図６】図５に示すこの発明のランドセルの肩ベルト取付具の分解斜視図である。
【図７】図５のＢ−Ｂ線によるこの発明のランドセルの肩ベルト取付具の断面図である。
【図８】図５に示すこの発明のランドセルの肩ベルト取付具を使用したランドセルを背負った状態を示す側面図である。
【図９】従来のランドセルの肩ベルト取付具の斜視図である。
【図１０】従来のランドセルの肩ベルト取付具を使用したランドセルを背負った状態を示す側面図である。
【符号の説明】
１  取付体
１ａ  挿通空間
１ｂ  開口部
２  接続環
２ａ  取付部
２ｂ  挿通部
３  弾性体
３ａ  嵌込み部
４  肩ベルト
５  吊り環
５ａ  脚部
Ｒ  ランドセル
Ｒｐ  背当て部
【図１】
2004358019.tif 000003
【図２】
2004358019.tif 000004
【図３】
2004358019.tif 000005
【図４】
2004358019.tif 000006
【図５】
2004358019.tif 000007
【図６】
2004358019.tif 000008
【図７】
2004358019.tif 000009
【図８】
2004358019.tif 000010
【図９】
2004358019.tif 000011
【図１０】
2004358019.tif 000012